(57)【要約】【課題】ペーパーハンドリング動作を容易に実行させる画像形成装置を提供する。【解決手段】ペーパーハンドリング処理は、ユーザーが「機械設定」、「部門設定」、または「マニュアル設定」の選択を行うことができる。「機械設定」はペーパーハンドリング機構を実現する機械が保持しているデフォルトデータによりペーパーハンドリング動作を実行する。「部門設定」は、ユーザーが所属する「部門」の「使用用途」に応じたペーパーハンドリング動作データを登録し、登録されたペーパーハンドリング動作データによりペーパーハンドリング動作を実行する。「部門設定」においては、ユーザーが所属する部門別に登録される「使用用途」を選択することで、部門別の「使用用途」に応じたペーパーハンドリング動作を実行させることができる。「マニュアル設定」は、ユーザーが入力したペーパーハンドリング動作データによりペーパーハンドリング動作を実行する。【選択図】図５
2014215467.tif 000002
【特許請求の範囲】
【請求項１】
ペーパーハンドリング機構を有する画像形成装置であって、
ペーパーハンドリング動作情報が記憶される記憶手段と、
前記ペーパーハンドリング動作情報を前記記憶手段に登録する登録手段と、
登録されている前記ペーパーハンドリング動作情報から１つの前記ペーパーハンドリング動作情報を選択する選択手段とを備え、
前記選択手段により選択された前記ペーパーハンドリング動作情報が実行されることを特徴とする画像形成装置。
【請求項２】
前記登録手段は、ユーザーの使用用途に応じたペーパーハンドリング動作情報を前記記憶手段に登録することを特徴とする請求項２に記載の画像形成装置。
【請求項３】
前記登録手段は、前記ペーパーハンドリング動作情報をユーザーＩＤから判別される部門に分けて登録することを特徴とする請求項２に記載の画像形成装置。
【請求項４】
ペーパーハンドリング設定モードを入力する設定モード入力手段を備え、
前記設定モード入力手段により機械設定モード、部門設定モード、またはマニュアル設定モードを入力することを特徴とする請求項１から請求項３のいずれか１項に記載の画像形成装置。
【請求項５】
前記機械設定モードが入力されたときに前記ペーパーハンドリング機構の機械が保存しているデフォルトデータによりペーパーハンドリング動作を実行する機械設定モード動作手段と、
前記部門設定モードが入力されたときに前記使用用途に応じたペーパーハンドリング動作情報を実行する部門設定モード動作手段と、
前記マニュアル設定モードが入力されたときに入力されたペーパーハンドリング動作情報を実行するマニュアル設定モード動作手段と、
を備えることを特徴とする請求項４に記載の画像形成装置。
【請求項６】
前記マニュアル設定モード動作手段は、前記ペーパーハンドリング動作情報の登録要否を判定する登録要否判定手段を備え、
前記登録要否判定手段により登録要と判定されたときに前記ペーパーハンドリング動作情報を登録することを特徴とする請求項５に記載の画像形成装置。
【請求項７】
前記登録要否判定手段は、登録要と判定されたときに前記ペーパーハンドリング動作情報の登録を許可するか否かを前記ユーザーＩＤにより判定する登録許可判定手段を備え、
前記登録許可判定手段により登録許可と判定されたときに前記ペーパーハンドリング動作情報を登録することを特徴とする請求項６に記載の画像形成装置。
【請求項８】
前記マニュアル設定モード動作手段は、前記ペーパーハンドリング動作情報の上書きを許可するか否かを前記ユーザーＩＤにより判定する上書き許可判定手段を備え、
前記上書き許可判定手段により上書き許可と判定されたときに前記ペーパーハンドリング動作情報を上書きすることを特徴とする請求項５から請求項７のいずれか１項に記載の画像形成装置。
【発明の詳細な説明】
【技術分野】
【０００１】
本発明は、ペーパーハンドリング機構を有する画像形成装置に関する。
【背景技術】
【０００２】
プリンタ、多機能プリンタ、多機能周辺装置、又は複合機などのＭＦＰ（Ｍｕｌｔｉｆｕｎｃｔｉｏｎ  Ｐｅｒｉｐｈｅｒａｌ）である画像形成装置は、操作パネルまたは画像形成装置に接続されているＰＣ（パソコン）のプリンタドライバからペーパーハンドリング機構により実行される動作（以下、「ペーパーハンドリング動作」という）の設定が行われる。この設定に基づいて、ペーパーハンドリング機構は、ペーパーハンドリング動作を実行する。ペーパーハンドリング機構では、例えば、モノクロまたはカラーの印刷、片面または両面の印刷、２ページを１ページに集約または４ページを１ページに集約の印刷（以下、「集約印刷」という）、トレイまたは手差しからの給紙、印刷された用紙が１部ずつとなるように重ねる(以下、「スタッカー」という)、１部ずつホッチキスで止める（以下、「ステイブル」という）、穴あけ、及び折るなどのペーパーハンドリング動作を実行することが可能である。
【０００３】
このように、画像形成装置のペーパーハンドリング機構の普及により、画像形成装置の原稿台に原稿をセットし、ユーザーが画像形成装置に対してペーパーハンドリング動作の設定を行うことで、画像形成装置が自動的に設定されたペーパーハンドリング動作を実行することができるようになった。例えば、特許文献１では、ジョブを識別するジョブ識別情報を用紙上に付加し、排紙された用紙上に付加されたジョブ識別情報を排紙処理装置により読み取り、読み取られたジョブ識別情報及び所定の通信媒体を介して入力される排紙後処理を含むジョブに基づいて、複数の画像形成装置より排紙される用紙の排紙後処理を排紙処理装置により制御する技術が開示されている。
【先行技術文献】
【特許文献】
【０００４】
【特許文献１】特開２００３−１６７３９７号公報
【発明の概要】
【発明が解決しようとする課題】
【０００５】
このような特許文献１の画像形成システムでは、複数の画像形成装置から出力された用紙を、排紙後処理装置が接続された画像形成装置が出力する用紙と同等に後処理することが可能となるので、複数の画像形成装置から出力された用紙の排紙後処理を容易に行うことができる。しかし、ジョブ識別情報を用紙に形成される画像に付加し、このジョブ識別情報を排紙処理装置により読み取って用紙の排紙後処理を制御するので、複数の用紙に対して同じ排紙後処理を実施する場合でも、全ての用紙にジョブ識別情報を付加しなければならない。また、ユーザーが所属するグループ（以下、「部門」という）において、画像形成装置が出力する印刷された用紙のコピーの使用用途が同じであるときには、同じペーパーハンドリング動作を設定する可能性が高い。しかし、従来の技術では、部門別の使用用途に応じたペーパーハンドリング動作の設定を登録しておくことができないので、その都度、部門別の使用用途に応じたペーパーハンドリング動作を設定するため利便性が低下するという問題があった。
【０００６】
本発明はこのような状況に鑑みてなされたものであり、上記課題を解決できる画像形成装置を提供することを目的とする。
【課題を解決するための手段】
【０００７】
本発明の画像形成装置は、ペーパーハンドリング機構を有する画像形成装置であって、ペーパーハンドリング動作情報が記憶される記憶手段と、前記ペーパーハンドリング動作情報を前記記憶手段に登録する登録手段と、登録されている前記ペーパーハンドリング動作情報から１つの前記ペーパーハンドリング動作情報を選択する選択手段とを備え、前記選択手段により選択された前記ペーパーハンドリング動作情報が実行されることを特徴としている。
また、本発明の画像形成装置の前記登録手段は、ユーザーの使用用途に応じたペーパーハンドリング動作情報を前記記憶手段に登録することを特徴としている。
また、本発明の画像形成装置の前記登録手段は、前記ペーパーハンドリング動作情報をユーザーＩＤから判別される部門に分けて登録することを特徴としている。
また、本発明の画像形成装置は、ペーパーハンドリング設定モードを入力する設定モード入力手段を備え、前記設定モード入力手段により機械設定モード、部門設定モード、またはマニュアル設定モードを入力することを特徴としている。
また、本発明の画像形成装置は、前記機械設定モードが入力されたときに前記ペーパーハンドリング機構の機械が保存しているデフォルトデータによりペーパーハンドリング動作を実行する機械設定モード動作手段と、前記部門設定モードが入力されたときに前記使用用途に応じたペーパーハンドリング動作情報を実行する部門設定モード動作手段と、前記マニュアル設定モードが入力されたときに入力されたペーパーハンドリング動作情報を実行するマニュアル設定モード動作手段と、を備えることを特徴としている。
また、本発明の画像形成装置の前記マニュアル設定モード動作手段は、前記ペーパーハンドリング動作情報の登録要否を判定する登録要否判定手段を備え、前記登録要否判定手段により登録要と判定されたときに前記ペーパーハンドリング動作情報を登録することを特徴としている。
また、本発明の画像形成装置の前記登録要否判定手段は、登録要と判定されたときに前記ペーパーハンドリング動作情報の登録を許可するか否かを前記ユーザーＩＤにより判定する登録許可判定手段を備え、前記登録許可判定手段により登録許可と判定されたときに前記ペーパーハンドリング動作情報を登録することを特徴としている。
また、本発明の画像形成装置の前記マニュアル設定モード動作手段は、前記ペーパーハンドリング動作情報の上書きを許可するか否かを前記ユーザーＩＤにより判定する上書き許可判定手段を備え、前記上書き許可判定手段により上書き許可と判定されたときに前記ペーパーハンドリング動作情報を上書きすることを特徴としている。
【発明の効果】
【０００８】
本発明のペーパーハンドリング機構を有する画像形成装置において、部門別の使用用途に応じてペーパーハンドリング動作の設定を登録しておき、ユーザーは登録されたペーパーハンドリング動作の設定を選択することで、部門別の使用用途に応じたペーパーハンドリング動作を容易に実行させ、ユーザーの利便性が向上できる。
【図面の簡単な説明】
【０００９】
【図１】本発明の実施形態に係る画像形成システムの機能構成を示す図である。
【図２】本発明の実施形態に係るペーパーハンドリング動作一覧テーブルの一例を示す構成図である。
【図３】本発明の実施形態に係るペーパーハンドリング部門別登録テーブルの一例を示す構成図である。
【図４】本発明の実施形態に係るペーパーハンドリング部門別登録テーブルにおけるペーパーハンドリング動作データの一例を示す構成図である。
【図５】本発明の実施形態に係るペーパーハンドリング処理の流れを示すフローチャートである。
【発明を実施するための形態】
【００１０】
以下、本発明を実施するための形態（以下、「実施形態」という）を、図面を参照して説明する。実施形態の画像形成装置は、ペーパーハンドリング動作について「機械設定」、「部門設定」、または「マニュアル設定」の設定を行うことができる。「機械設定」は、ペーパーハンドリング機構を実現する機械がデフォルトとして保存しているデータ（以下、「デフォルトデータ」という）により、ペーパーハンドリング動作を実行する設定である。「部門設定」は、ユーザーが部門別の使用用途に応じて実行するペーパーハンドリング動作を登録しておき、登録されたペーパーハンドリング動作を実行する設定である。「マニュアル設定」は、ユーザーが入力するペーパーハンドリング動作を実行する設定である。
【００１１】
実施形態における画像形成システム１０の機能構成について、図１を用いて説明する。図１に示す画像形成システム１０は、画像形成装置１００とＰＣ２００で構成され、画像形成装置１００とＰＣ２００は、ネットワーク３００で接続されている。画像形成装置１００は、プリンタ、ＭＦＰ、複合機等であり、ペーパーハンドリング機構を有する。ＰＣ２００は、画像形成装置１００に対して画像データの印刷要求及びペーパーハンドリング機構の動作要求を行うことができる操作端末である。
【００１２】
まず、画像形成装置１００の機能構成について説明する。図１に示すように画像形成装置１００は、制御部１０１、補助記憶部１０２、データ保存部１０３、操作パネル１０４、操作パネル処理部１０５、原稿読取部１０６、画像形成部１０７、給紙部１０８、給紙処理部１０９、画像印刷部１１０、ペーパーハンドリング動作部１１１、及びネットワーク通信部１１２を備えている。制御部１０１、補助記憶部１０２、データ保存部１０３、操作パネル処理部１０５、画像形成部１０７、給紙処理部１０９、画像印刷部１１０、ペーパーハンドリング動作部１１１、及びネットワーク通信部１１２は、これら各部を接続するバスなどにより接続される構成となっている。
【００１３】
制御部１０１は、ＲＡＭやＲＯＭ等の主記憶手段、及びＭＰＵ(Micro Processing Unit)やＣＰＵ(Central Processing Unit)等の制御手段を備えている。また、制御部１０１は、各種Ｉ／Ｏや、ＵＳＢ（ユニバーサル・シリアル・バス）等のインターフェース、バスコントローラ等を含む総合的な画像形成装置１００のコントロールを行う。制御部１０１には、ユーザーが指定する「機械設定」、「部門設定」、または「マニュアル設定」に基づいてペーパーハンドリング動作を実行するペーパーハンドリング処理部１０１ａが設けられている。ペーパーハンドリング処理部１０１ａの詳細については、後述する。
【００１４】
補助記憶部１０２は、フラッシュメモリ等からなる補助記憶装置で、制御部１０１が実行する処理のプログラムやデータが記憶される。補助記憶部１０２には、ペーパーハンドリング機構が実行可能な動作一覧が登録されるペーパーハンドリング動作一覧テーブル１０２ａが設けられている。また、記憶部１０２には、各々の部門における使用用途に応じたペーパーハンドリング動作が登録されるペーパーハンドリング部門別登録テーブル１０２ｂが設けられている。ペーパーハンドリング動作一覧テーブル１０２ａ及びペーパーハンドリング部門別登録テーブル１０２ｂの構成については、後述する。
【００１５】
データ保存部１０３は、データやプログラムを保存するハードディスクドライブである。データ保存部１０３には、原稿読取部１０６から読み取った画像データ、ネットワーク通信部１１２を経由してＰＣ２００から受信した画像を保存する画像データ保存エリア１０３ａが設けられている。
【００１６】
操作パネル１０４は、操作メニューの表示、ユーザーの指による操作を受け付ける。ユーザーは操作パネル１０４からユーザーＩＤを入力して認証されると、「機械設定」、「部門設定」、または「マニュアル設定」のいずれかを選択することができる。
【００１７】
操作パネル処理部１０５は、制御部１０１からの要求により印刷可能な画像イメージや画像形成装置１００が備えている機能の操作項目またはユーザーに入力を促す誘導メッセージを操作パネル１０４に表示する処理、操作パネル１０４からユーザーが行う操作に対する操作データを入力する処理を行う。
【００１８】
原稿読取部１０６は、画像形成装置１００の原稿台にセットされた原稿の読み取りを行うもので、ユーザーが操作パネル１０４から読み取り要求を行うことにより、原稿台にセットされた原稿の読み取りを行うことができる。
【００１９】
画像形成部１０７は、ユーザーから読み取り要求があった原稿を印刷可能なイメージやＦＡＸやメールで送信可能なイメージの画像データに変換する。
【００２０】
給紙部１０８は、トレイや手差しからコピー用紙の供給を行うものである。トレイには複数給紙段が設けられ、各々の給紙段にはサイズまたは種類が異なるコピー用紙がセットされている。また、手差しにも、サイズまたは種類が異なるコピー用紙をセットすることができる。
【００２１】
給紙処理部１０９は、指定された給紙段または手差しからコピー用紙を取り出す処理を行う。
【００２２】
画像印刷部１１０は、ユーザーから印刷要求のあった画像データをコピー用紙に印刷する機能を備えている。
【００２３】
ペーパーハンドリング動作部１１１は、ペーパーハンドリング動作データに基づいてペーパーハンドリング動作を実行することができる。ペーパーハンドリング動作データの詳細については、後述する。
【００２４】
ネットワーク通信部１１２は、ネットワーク３００に接続するための着脱可能なＬＡＮインターフェースを備えている。ＬＡＮインターフェースには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２５】
次に、ＰＣ２００の機能構成について図１を用いて説明する。図１に示すようにＰＣ２００は、制御部２０１、補助記憶部２０２、及びネットワーク通信部２０３を備え、これら各部はバスなどにより接続される構成となっている。
【００２６】
制御部２０１は、ＲＡＭやＲＯＭ等の主記憶手段、及びＣＰＵ(Central Processing Unit)等の制御手段を備えている。また、制御部２０１は、各種Ｉ／Ｏや、ＵＳＢ（ユニバーサル・シリアル・バス）等のインターフェース、バスコントローラ等を含む総合的なＰＣ２００のコントロールを行う。制御部２０１には、画像形成装置１００に対して画像データの印刷要求及びペーパーハンドリング機構に対して動作要求を行うプリンタドライバ処理部２０１ａが設けられている。
【００２７】
補助記憶部２０２は、フラッシュメモリ等からなる補助記憶装置で、制御部２０１が実行する処理のプログラムやデータを記憶する。補助記憶部２０２には、ＰＣ２００から画像形成装置１００に送信する画像データを一時的に保存する原稿画像データ保存エリア２０２ａが設けられている。
【００２８】
ネットワーク通信部２０３は、ネットワーク３００に接続するための着脱可能なＬＡＮインターフェースを備えている。ＬＡＮインターフェースには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２９】
次に、ペーパーハンドリング動作一覧テーブル１０２ａの構成について、図２を用いて説明する。ペーパーハンドリング動作一覧テーブル１０２ａは、ペーパーハンドリング機構により実行可能な動作一覧が登録されるテーブルである。ペーパーハンドリング動作一覧テーブル１０２ａは、図２に示すように「動作Ｎｏ．」及び「動作Ｎｏ．」に対応する「ペーパーハンドリング動作」が登録されている。「動作Ｎｏ．」は、ペーパーハンドリング機構が実行できる各々の動作を識別するために付されるユニークな番号である。「ペーパーハンドリング動作」とは、ペーパーハンドリング機構が実行できる動作である。例えば、「動作Ｎｏ．」の「００４」に対応する「ペーパーハンドリング動作」は「両面印刷」であるので、「動作Ｎｏ．」の「００４」が指定されたときには、ペーパーハンドリング機構は画像データを印刷するときに両面印刷の動作を実行する。また、「動作Ｎｏ．」の「０１５」に対応する「ペーパーハンドリング動作」は「穴あけパターン３」であるので、「動作Ｎｏ．」の「０１５」が指定されたときには、ペーパーハンドリング機構は印刷された用紙に対して穴あけパターン３で穴をあける動作を実行する。
【００３０】
次に、ペーパーハンドリング部門別登録テーブル１０２ｂについて、図３を用いて説明する。ペーパーハンドリング部門別登録テーブル１０２ｂは、各々の部門における使用用途に応じたペーパーハンドリング動作データが登録されるテーブルである。ペーパーハンドリング部門別登録テーブル１０２ｂは、図３に示すように複数の部門別エリア１０２ｂ−ｅから構成されている。また、各々の部門別エリア１０２ｂ−ｅは、複数の使用用途に応じたペーパーハンドリング動作データから構成されている。例えば、部門別エリア１０２ｂ−ｅには、「設計部門エリア」、「製造部門エリア」、「管理部門エリア」、及び「営業部門エリア」などが登録されている。また、部門別エリア１０２ｂ−ｅの「設計部門エリア」には、「作業用資料ペーパーハンドリング動作データ」、「自部門資料ペーパーハンドリング動作データ」、「他部門提出用ペーパーハンドリング動作データ」、「Ａ社提出用ペーパーハンドリング動作データ」、「Ｂ社提出用ペーパーハンドリング動作データ」、及び「Ｃ社提出用ペーパーハンドリング動作データ」などが登録される。
【００３１】
次に、ペーパーハンドリング動作データについて、図４を用いて説明する。ペーパーハンドリング動作データは、使用用途に応じて実行するペーパーハンドリング動作が登録されるデータである。最上段のペーパーハンドリング動作データの右欄における「動作Ｎｏ．」は、図２に示すペーパーハンドリング動作一覧テーブル１０２ａの「動作Ｎｏ．」に対応している。図４に示すように各ペーパーハンドリング動作データのそれぞれの「動作Ｎｏ．」に対応するエリアに「１」または「０」がセットされる。「動作Ｎｏ．」に対応するエリアに「１」がセットされているときには、「動作Ｎｏ．」に対応したペーパーハンドリング動作が実行される。また、「動作Ｎｏ．」に対応するエリアに「０」がセットされているときには、「動作Ｎｏ．」に対応したペーパーハンドリング動作が実行されない。例えば、図４に示す「ペーパーハンドリング動作データ」の「Ａ社提出用ペーパーハンドリング動作データ」であれば、「動作Ｎｏ．」の「００２」、「００３」、「００８」、「０１２」、「０１３」、及び「０１６」に対応するエリアに「１」がセットされている。これに対し、図２に示すペーパーハンドリング動作一覧テーブル１０２ａを参照すると「動作Ｎｏ.」の「００２」に対応する「ペーパーハンドリング動作」は「カラー印刷」である。同様に、「００３」は「片面印刷」、「００８」は「給紙トレイ２段」、「０１２」は「ステイブル」、「０１３」は「穴あけパターン１」、及び「０１６」は「折りパターン１」となっているので、ユーザーにより「使用用途」として「Ａ社提出用」が入力されると、これらのペーパーハンドリング動作がペーパーハンドリング機構により実行される。
【００３２】
次に、本発明の実施形態に係る画像形成装置１００のペーパーハンドリング処理部１０１ａが実行するペーパーハンドリング処理について、図５を用いて説明する。
【００３３】
ユーザーが操作パネル１０４から入力したユーザーＩＤが画像形成装置１００により認証されると、ユーザーは続いて操作パネル１０４から「機械設定」、「部門設定」、または「マニュアル設定」のいずれかのペーパーハンドリング設定モードを入力する。操作パネル１０４から出力されるユーザーＩＤとペーパーハンドリングモードを操作パネル処理部１０５が入力すると、操作パネル処理部１０５は制御部１０１にペーパーハンドリング処理開始通知を出力する。制御部１０１がユーザーＩＤとペーパーハンドリング設定モードを操作パネル処理部１０５から入力すると、制御部１０１によりペーパーハンドリング処理部１０１ａが起動され、ペーパーハンドリング処理部１０１ａがペーパーハンドリング処理を開始する。
【００３４】
（ステップＳ１０１）
まず、ペーパーハンドリング処理部１０１ａは、ユーザーＩＤを入力し、ユーザーＩＤからユーザーが所属する「部門」を判別する。なお、ユーザーＩＤには、「部門」が判別できるコードが付されているものとする。
【００３５】
（ステップＳ１０２）
次いで、ペーパーハンドリング処理部１０１ａは、ペーパーハンドリング設定モードを入力する。
【００３６】
（ステップＳ１０３）
次いで、ペーパーハンドリング処理部１０１ａは、ペーパーハンドリング設定モードを判別し、ペーパーハンドリング設定モードが「機械設定」モードであればステップＳ１０４に進み、「部門設定」モードであればステップＳ１０６に進み、「マニュアル設定」モードであればステップＳ１０９に進む。
【００３７】
（ステップＳ１０４）
ステップＳ１０３のペーパーハンドリング設定モードが「機械設定」モードにおいて、ペーパーハンドリング処理部１０１ａは、ペーパーハンドリング機構を実現する機械が保持しているデフォルトデータを取り出す。
【００３８】
（ステップＳ１０５）
次いで、ペーパーハンドリング処理部１０１ａは、ステップＳ１０４で取り出したデフォルトデータをペーパーハンドリング動作データとしてペーパーハンドリング動作部１１１に出力し、ステップＳ１１５に進む。
【００３９】
（ステップＳ１０６）
ステップＳ１０３のペーパーハンドリング設定モードが「部門設定」モードにおいて、ペーパーハンドリング処理部１０１ａは、操作パネル処理部１０５に対してユーザーに「使用用途」を選択させるための通知を出力すると、操作パネル処理部１０５は操作パネル１０４に「使用用途」一覧を表示し、「使用用途」を選択させる誘導メッセージを表示する。ユーザーが誘導メッセージに従って操作パネル１０４から「使用用途」を選択すると、操作パネル処理部１０５は「使用用途」をペーパーハンドリング処理部１０１ａに出力し、ペーパーハンドリング処理部１０１ａは「使用用途」を入力する。
【００４０】
（ステップＳ１０７）
次いで、ペーパーハンドリング処理部１０１ａは、ペーパーハンドリング部門別登録テーブル１０２ｂからステップＳ１０１で判別した「部門」及びステップＳ１０６で入力した「使用用途」に該当するペーパーハンドリング動作データを取り出す。例えば、ユーザーが所属する「部門」が「設計部門」であり、「使用用途」が「自部門資料」であれば、ペーパーハンドリング処理部１０１ａは、ペーパーハンドリング部門別登録テーブル１０２ｂの部門エリア１０２ｂ−ｅから「設計部門エリア」を取り出し、次に「設計部門エリア」から「自部門資料ペーパーハンドリング動作データ」を取り出す。
【００４１】
（ステップＳ１０８）
次いで、ペーパーハンドリング処理部１０１ａは、ステップＳ１０７で取り出した「自部門資料ペーパーハンドリング動作データ」を、ペーパーハンドリング機構を実現する機械が保持しているデフォルトデータと同じ形式のペーパーハンドリング動作データに変換すると、ペーパーハンドリング動作部１１１に出力し、ステップＳ１１５に進む。
【００４２】
（ステップＳ１０９）
ステップＳ１０２のペーパーハンドリング設定モードが「マニュアル設定」モードにおいて、ペーパーハンドリング処理部１０１ａは、操作パネル処理部１０５に対してユーザーに「マニュアルによるペーパーハンドリング動作」を入力させるための通知を出力すると、操作パネル処理部１０５は操作パネル１０４に「マニュアルによるペーパーハンドリング動作」を入力させる誘導メッセージを表示する。ユーザーが誘導メッセージに従って操作パネル１０４から「マニュアルによるペーパーハンドリング動作」を入力すると、操作パネル処理部１０５は「マニュアルによるペーパーハンドリング動作」をペーパーハンドリング処理部１０１ａに出力し、ペーパーハンドリング処理部１０１ａは、「マニュアルによるペーパーハンドリング動作」を入力する。例えば、「動作Ｎｏ.」の「００１」から順に、動作させたいページバンドリング動作に「１」を設定し、動作させたくないページバンドリング動作には「０」を設定する。
【００４３】
（ステップＳ１１０）
次いで、ペーパーハンドリング処理部１０１ａは、ステップＳ１０９で入力した「マニュアルによるペーパーハンドリング動作」を、ペーパーハンドリング機構を実現する機械が保持しているデフォルトデータと同じ形式のペーパーハンドリング動作データに変換すると、ペーパーハンドリング動作部１１１に出力する。
【００４４】
（ステップＳ１１１）
次いで、ペーパーハンドリング処理部１０１ａは、操作パネル処理部１０５に対してユーザーが入力した「マニュアルによるペーパーハンドリング動作」をペーパーハンドリング部門別登録テーブル１０２ｂに登録するかを確認する通知を出力すると、操作パネル処理部１０５は操作パネル１０４に「登録の要否」を選択させる誘導メッセージを表示する。ユーザーが誘導メッセージに従って操作パネル１０４から「登録の要否」を選択すると、操作パネル処理部１０５は「登録の要否」をペーパーハンドリング処理部１０１ａに出力し、ペーパーハンドリング処理部１０１ａは、「登録の要否」を入力する。
【００４５】
（ステップＳ１１２）
次いで、ペーパーハンドリング処理部１０１ａは、ステップＳ１１１で入力した「登録の要否」により「マニュアルによるペーパーハンドリング動作」をペーパーハンドリング部門別登録テーブル１０２ｂに登録するかを判定する。「登録の要否」が登録要であるとき(ステップＳ１１２のＹｅｓ)は、ステップＳ１１３に進む。「登録の要否」が登録否であるとき(ステップＳ１１２のＮｏ)は、ステップＳ１１５に進む。
【００４６】
（ステップＳ１１３）
ステップＳ１１２のＹｅｓにおいて、ペーパーハンドリング処理部１０１ａは、操作パネル処理部１０５に対してユーザーに「マニュアルによるペーパーハンドリング動作」の「使用用途」を入力させるための通知を出力すると、操作パネル処理部１０５は操作パネル１０４に「使用用途」を入力させる誘導メッセージを表示する。ユーザーが誘導メッセージに従って操作パネル１０４から「使用用途」を入力すると、操作パネル処理部１０５は「使用用途」をペーパーハンドリング処理部１０１ａに出力し、ペーパーハンドリング処理部１０１ａは「使用用途」を入力する。
【００４７】
（ステップＳ１１４）
次いで、ペーパーハンドリング処理部１０１ａは、ステップＳ１０９で入力した「マニュアルによるペーパーハンドリング動作」をペーパーハンドリング部門別登録テーブル１０２ｂに登録可能なデータに変換すると、ペーパーハンドリング部門別登録テーブル１０２ｂの部門エリア１０２ｂ−ｅの該当する「部門」に「使用用途」の名称を付して登録する。例えば、ユーザーが所属する「部門」が「設計部門」であり、「使用用途」として「Ｃ社提出用」が入力されたときには、ペーパーハンドリング処理部１０１ａは、ペーパーハンドリング部門別登録テーブル１０２ｂの部門エリア１０２ｂ−ｅの「設計部門エリア」に「マニュアルによるペーパーハンドリング動作」のデータを「Ｃ社提出用ハンドリング設定データ」として登録する。
【００４８】
（ステップＳ１１５）
次いで、ペーパーハンドリング処理部１０１ａがペーパーハンドリング動作部１１１に対して動作開始の通知を出力すると、ペーパーハンドリング設定処理を終了する。ペーパーハンドリング動作部１１１は、ステップＳ１０５、ステップＳ１０８、またはステップＳ１１０から出力されたペーパーハンドリング動作データを入力すると、ペーパーハンドリング動作データに従って、給紙処理部１０９により給紙部１０８からコピー用紙の取り出し、画像印刷部１１０による印刷を実施し、その後にスタッカー、ステイブル、穴あけ、及び折るなどのペーパーハンドリング動作を実行する。
【００４９】
なお、実施形態においては、ペーパーハンドリング動作の項目に「モノクロ印刷」、「カラー印刷」、「片面印刷」、「両面印刷」、「２in１（集約印刷）」、及び「４in１（集約印刷）」などの画像印刷部１１０が処理する動作を含めないようにしてもよい。
また、ペーパーハンドリング設定モードが「マニュアル設定」であるときに、ユーザーが入力したペーパーハンドリング動作データについて登録要否を判定し、登録要のときにペーパーハンドリング部門別登録テーブル１０２ｂに登録するようにしたが、ユーザーＩＤによりユーザーが登録を許可されている管理者であるかを判定し、許可されている管理者であるときに登録を行うようにするようにしてもよい。
また、ペーパーハンドリング部門別登録テーブル１０２ｂにユーザーが入力したペーパーハンドリング動作データを登録するときに、既に登録されている「使用用途」を入力した場合には、上書きを許可するか否かのメッセージを操作パネル１０４に表示し、上書きが許可されたときに既に登録されている「使用用途」のペーパーハンドリング動作データに上書きすることも可能である。
また、ペーパーハンドリング設定モードが「機械設定」または「マニュアル設定」においては、画像形成装置１００が待機状態であるときに設定しておくことも可能である。
また、ユーザーが画像形成装置１００に対して操作を開始するときに、ユーザーＩＤを入力するのでなく、部門が識別可能なＩＤカードを使用することも可能である。
また、部門別に分けるのでなく、ユーザー別に分けるようにしてもよい。この場合は、ペーパーハンドリング処理のステップ１０１において、ユーザーＩＤを使用して部門を判別する代わりにユーザーを判別すればよい。
【００５０】
このような本発明のペーパーハンドリング機構を有する画像形成装置は、ペーパーハンドリング機構を実現する機械が保持しているデフォルトデータを実行する「機械設定」、ユーザーが部門別の使用用途に応じて登録したペーパーハンドリング動作を実行する「部門設定」、またはユーザーが入力するペーパーハンドリング動作を実行する「マニュアル設定」のいずれかを選択することができる。また、「部門設定」においては、ユーザーが所属する部門別に登録される「使用用途」を選択することで、部門別の使用用途に応じたペーパーハンドリング動作を容易に実行させ、ユーザーの利便性が向上できる。
【００５１】
以上、具体的な実施の形態により本発明を説明したが、上記実施の形態は本発明の例示であり、この実施の形態に限定されないことは言うまでもない。
【産業上の利用可能性】
【００５２】
本発明は、画像形成装置に好適であるが、画像形成装置に限られるものではなく、ペーパーハンドリングが可能な装置一般に適用できる。
【符号の説明】
【００５３】
１０・・・・・画像形成システム
１００・・・・・画像形成装置
１０１・・・・・制御部
１０１ａ・・・・ペーパーハンドリング処理部
１０２・・・・・補助記憶部
１０２ａ・・・・ペーパーハンドリング動作一覧テーブル
１０２ｂ・・・・ペーパーハンドリング部門別登録テーブル
１０３・・・・・データ保存部
１０３ａ・・・・原稿画像データ保存エリア
１０４・・・・・操作パネル
１０５・・・・・操作パネル処理部
１０６・・・・・原稿読取部
１０７・・・・・画像形成部
１０８・・・・・給紙部
１０９・・・・・給紙処理部
１１０・・・・・画像印刷部
１１１・・・・・ペーパーハンドリング動作部
１１２・・・・・ネットワーク通信部
２００・・・・・ＰＣ
２０１・・・・・制御部
２０１ａ・・・・プリンタドライバ処理部
２０２・・・・・補助記憶部
２０２ａ・・・・原稿画像データ保存エリア
２０３・・・・・ネットワーク通信部
３００・・・・・ネットワーク
【図１】
2014215467.tif 000003
【図２】
2014215467.tif 000004
【図３】
2014215467.tif 000005
【図４】
2014215467.tif 000006
【図５】
2014215467.tif 000007